(57)【要約】【課題】絵シートの端部の操作部を折り曲げ操作して絵シートをスライドさせることにより透明スリットを通じて絵が動いているように見える動画シートにおいて、操作部を折り曲げ操作しても必要な情報を常に見えるようにすることにある。【解決手段】表示窓２を有するシート１と、前記表示窓の内側に貼布され細長い透明スリット３をその幅ａの整数倍の不透明部分４をおいて形成されたフィルム５と、このフィルムの内面側に位置し分割画６を透明スリットの幅を１単位として前記整数倍に細断され動いた状態を表示した絵シート７と、この絵シートをスライド可能に重合支持する厚手の基板１１とで構成し、前記絵シートの端部の折曲操作部９と重なる基板１１の端部を固定表示部１１ａとしたことにある。【選択図】図１
2010228340.tif 000002
【特許請求の範囲】
【請求項１】
表示窓を有するシートと、前記表示窓の内側に貼布され細長い透明スリットがその幅の整数倍の不透明部分をおいて形成されたフィルムと、このフィルムの内面側に位置し絵柄を前記透明スリットの幅を１単位として前記整数倍に細断され動いた状態を表示した絵シートと、この絵シートをスライド可能に重合支持する厚手の基板とで構成され、前記絵シートの端部の折曲操作部と重なる基板の端部が固定表示面とされていることを特徴とする動画シート。
【請求項２】
表示窓を有するシートと、前記表示窓の内側に貼布され細長い透明スリットがその幅の整数倍の不透明部分をおいて形成されたフィルムと、このフィルムの内面側に位置し絵柄を前記透明スリットの幅を１単位として前記整数倍に細断され動いた状態を表示した絵シートと、この絵シートをスライド可能に重合支持する厚手の基板とで構成され、前記絵シートの端部の折曲操作部と重なる基板の端部が固定表示面とされた動画シートを複数枚重ね、その上面に表紙を、同下面に裏表紙を重ね合わせ、動画シートの操作部とは反対端に背表紙をそわせて綴じ合わせ、ブック状に形成されていることを特徴とする動画本。
【請求項３】
前記フィルムの上部および下部の左右位置に切起し爪が形成され、これら切起し爪に前記絵シートの上下縁を係合して絵シートのスライド動作を案内するようになされている請求項１記載の動画シート。
【請求項４】
前記表紙に、前記絵シートの表示窓に対応し該表示窓が見えるようになされている請求項２記載の動画本。
【発明の詳細な説明】
【技術分野】
【０００１】
本発明は、シート端の折曲操作により画面に現れる絵が複数種の動作を現出する動画シートおよびこのシートを用いた動画本に関する。
【背景技術】
【０００２】
動物などの絵が複数種の動きを呈してあたかも動く映像を思わせるようになされた動画シートが特許文献１および２により知られている。
【０００３】
この動画シートの原理は、特許文献１にみられかつ図９に示すように、シート１に形成された表示窓２内に透明スリット３，３…とこれら透明スリット間を不透明とされた不透明部４，４…とを交互に有するフィルム５が貼布され、このフィルム５の下面側に前記透明スリット３の幅を一つの基準単位として複数の動きを表す分割絵６を表示した絵シート７をスライド自在に重ね、この絵シート７を矢印方向へ動かすことによりフィルム５の透明スリット３，３…に現れる絵が連続的に変化して見え、あたかも絵が動いているかのような現象を呈するものである。
【０００４】
すなわち具体的にみると、図９（Ａ）、（Ｂ）に示すようにフィルム５の透明スリット３の幅を「ａ」としたとき、透明スリット３，３間の不透明部４の幅を例えば「４ａ」とすると、絵シート７に表示する絵６は透明スリット３の幅「ａ」をもって５つに動いた状態を分けて表示し、絵シート７をピッチａずつスライドさせることによりその分解して表示された分割絵６，６…が順次透明スリット３，３…に現れることによりあたかも描かれた動物等の絵の手や頭が動いているかのように見えることになる。
【０００５】
上記原理に基づく従来の動画シートは、図１０に断面図を示すように、表面となるシート１の面に前述のフィルム５が裏面に貼付される表示窓２を有する２つ折りのシート８の間に前述の分割絵６が表示された絵シート７が挿入され、この絵シート７の端部と前記シート８の下面側の端部とが操作部９により一体的に連設され、この操作部９を矢印方向に動かすことにより前記絵シート７が図において左右方向にスライドして前述の分割絵６がフィルム５の透明スリット３，３…に順次現れて分割絵６に基づく絵が動いて見えるように構成されている。
【０００６】
特許文献２に示されるものは、原理的には特許文献１と同様であるが、開閉操作する表紙（カバー）の内面側に絵シートを連設し、この表紙を開けると絵シートが引張られてスライドし、絵シートの分割絵がフィルムの透明スリットに順次現れるというものである。
【０００７】
しかして上記特許文献１に示されているものは、絵シート７の端部の操作部９を折り曲げて絵シート７を動かすので、絵シート７が１枚のみの場合には特別問題は生じないとしても、数ページにわたる複数枚を重ねてブック状としたとき各ページの端部の操作部９をそれぞれ折り曲げることができる構造となり、その結果本としての外観体裁を著しく損ない、加えて操作部９の折り曲げ操作もやりにくいものとなる。
【０００８】
特に絵シート７の端部に種々の解説などの説明文や各種表示がなされていると、操作部９の折り曲げ操作時にこれらの表示内容を見ることができず、不便をきたすものとなる。
【０００９】
さらに操作部９はシートを折り返しているだけであるから他部に比べ厚みがなく、したがって本としたとき左右で厚みが異なってしまい、店頭で積み重ねて置くときなどバランスが悪く、安定性に欠けるものとなる。
【００１０】
特許文献２に示されているものは、表紙を開けることにより絵シートが引張られてスライドする方式であるので、表紙を全開乃至はそれに近い開度を与えたときはまだしも、表紙の開度が小さいときはその表紙がフィルム部分を覆ってしまうので画面の全域をよく見ることができないという致命的な欠点があるうえ、１枚のみの構成にせざるを得ないという問題点がある。
【先行技術文献】
【特許文献】
【００１１】
【特許文献１】ＵＳＰ１，２５９，２９７号明細書
【特許文献２】ＵＳＰ２，３６７，９６７号明細書
【発明の概要】
【発明が解決しようとする課題】
【００１２】
本発明は上記の点に鑑み、絵シートの端部を折り曲げて絵柄を動かすとき、絵シート端に表示されるべき表示内容を支障なく見ることができるとともに、複数枚重ねて動画本としたとき操作を妨げることなく本としての厚みを均一化することができてその外観体裁を損なうことがないようにすることを課題としている。
【課題を解決するための手段】
【００１３】
上記課題を解決する手段として本発明は、表示窓を有するシートと、この表示窓の内側に貼布され細長い透明スリットがその幅の整数倍の不透明部分をおいて形成されたフィルムと、このフィルムの内面側に位置し絵柄を前記透明スリットの幅を１単位として前記整数倍に細断され動いた状態を表示した絵シートと、この絵シートをスライド可能に重合支持する厚手の基板とで構成し、絵シートの端部の折曲操作部と重なる基板の端部を固定表示面として動画シートとしたことにある。
【００１４】
上記動画シートを複数枚重ね、その上面に表紙を、同下面に裏表紙を重ね合わせ、動画シートの操作部とは反対端に背表紙をそわせて綴じ合わせ、ブック状に形成して動画本としたことにある。
【００１５】
前記フィルムの上部および下部の左右位置に切起し爪を形成し、これら切起し爪に前記絵シートの上下縁を係合して絵シートのスライド動作を案内するようにすることが好ましい。
【００１６】
前記表紙に、前記絵シートの表示窓に対応し該表示窓が見えるようにすることが好ましい。
【発明の効果】
【００１７】
本発明によれば、絵シートをスライドさせるために折り曲げ操作する操作部の下に基板の端部が重なるように位置しており、この重なる部分を固定表示部として種々の情報等を表示するようにしたので、操作部をつまんで折り曲げ操作を行っても基板の固定表示面に表示される説明文や解説文等の表示を不動の状態で見ることができ、動く絵と併せて読むことを可能とすることができる。
【００１８】
一方、前記絵シートを複数枚用いて表紙と裏表紙との間に挟在させて綴じ合わせ、見開き可能なブック構造とすれば、絵シートに表現される絵を基にストーリーを組むことができ、動画を一層面白く構成することができ、子供に多くの興味を覚えさせることができながら各ページの操作部の下に基板の固定表示面が位置することになるので各ページ毎の動画で表される動物等の名前やその解説を見ながら絵を動かすことができ、一層興趣を増すことができる。
【００１９】
そして複数枚の動画シートを重ねてブック状としたとき、基板の存在によって本としての厚みが左右均一となり、多数重ねて店頭に置いても傾くことなく安定した状態を保つことができる。
【図面の簡単な説明】
【００２０】
【図１】本発明による動画シートの一実施形態を示す斜視図。
【図２】同、一部の拡大斜視図。
【図３】図１の平面図。
【図４】同、側面図。
【図５】本発明を動画本とした一例を示す端面図。
【図６】動画本とする場合の動画シートの裁断形態例を示し、（Ａ）は最上位の動画シート、（Ｂ）は中間に位置する動画シート、（Ｃ）は最下位の動画シートの各展開図。
【図７】動画本とする場合の表紙、裏表紙、背表紙の裁断形態例を示し、（Ａ）は表紙、裏表紙、背表紙の表面用の用紙、（Ｂ）は芯材用厚紙を示す展開図。
【図８】フィルムの平面図。
【図９】動画シートを構成する公知の材料を示し、（Ａ）は透明スリットを有するフィルムの平面図、（Ｂ）は同絵シートの平面図。
【図１０】従来の動画シートの断面図。
【発明を実施するための形態】
【００２１】
図１は本発明による動画シート１０の一実施形態を示すもので、動画シートとしての基本的な原理に関しては先記の図９で示したものと同様であるのでこれと対応する部分にはその符号を援用して付すに留め詳細な説明は省略するが、本発明においては絵シート７の下面側に基板１１が設けられ、この基板１１に絵シート７と一体に連設される操作部９の両側部の接着片９ａ，９ａが貼着されている。
【００２２】
この操作部９は、前記接着片９ａ，９ａに折曲線９ｂ，９ｂを介して連設されていて、図１、図２の矢印Ａ⇔Ｂ方向へ折り曲げ自在とされ、この操作部９に折曲線９ｃを介して絵シート７が連設されるが、この折曲線９ｃは接着片９ａ，９ａの折曲線９ｂ，９ｂより操作部９側へ距離Ｌだけ入り込んだ位置に設けられ、操作部９をＡ方向へ起こすように回動させたとき絵シート７がＡ’方向へスライドするようになっている。
【００２３】
前記操作部９を矢印Ｂ方向へ倒したときは、前記基板１１に重なり合い、操作部９を矢印Ａ方向へ起こしたとき基板１１の端部表面が現れる固定表示面１１ａとされている。
【００２４】
したがって操作部９をつよんで矢印Ａ⇔Ｂ方向へ動かしても前記固定表示面１１ａは不動状態に固定表示される。それ故絵シート７の内容の表示文字１２や説明など、常時静止した状態として見ることができるようになる。
【００２５】
これにより動画シート１０は基板１１により保形性が保たれ、操作部９をつまんで動かす際にも従来のように動画シート１０の一端が操作部９となる不安定さがなく、基板１１がベースとなって基準になるので操作もしやすくなる。
【００２６】
図５は前記動画シート１０を複数枚綴じ合わせてブック状とした一実施形態を示すもので、複数枚の動画シート１０，１０…を重ね、その操作部９，９…とは反対端の折り返し端を含む外周を表紙１３、裏表紙１４、および背表紙１５によりくるみ、これら表紙１３、裏表紙１４を上下に位置する動画シート１０，１０の一面と基板１１とを接着することによって固定し、中間の動画シート１０はその一面同士を接着して一体化させている。
【００２７】
上記表紙１３には、最上位の動画シート１０の表示窓２を臨む窓孔１６が開口されている。
【００２８】
前記フィルム５は、図８に一例を示しているようにその上下部に左右一対として切起し爪１７，１７が形成されており、この切起し爪１７，１７に絵シート７の上下縁が係合されて絵シート７の移動時にスムーズに安定してスライドさせることができるようになっている。
【００２９】
図６（Ａ）〜（Ｃ）は前記ブック状に形成する際の各動画シート１０ａ，１０ａ…を形成する用紙の裁断形態の一例を示している。
【００３０】
すなわち図６（Ａ）は最上位の動画シート１０１（便宜上符号にサフィックスを付して区別けする）、図６（Ｂ）は中間の動画シート１０２，１０３，１０４、図６（Ｃ）は最下位の動画シート１０５の場合であり、いずれも前述の説明と対応する部位にはこれと同一の符号を付して対応させてある。
【００３１】
図７（Ａ）は表紙１３、裏表紙１４、背表紙１５の裁断形態例、図７（Ｂ）はその芯材（厚紙）１３ａ，１４ａ，１５ａを示している。
【００３２】
しがたって本発明による動画シート１０は、単体構造、ブック構造のいずれかにおいても絵シート７をスライドさせるために折り曲げ操作する操作部９の下に基板１１の端部の固定表示面１１ａが重なるように位置し、この固定表示面１１ａに表示される説明文や絵柄の名称等の情報の表示文字１２等が操作中でも常に見え、動く絵と併せて観賞することが容易にできる。
【００３３】
上記作用は複数枚の動画シート１０１〜１０５をブック状とした場合であっても同様に機能する。そして基板１１の存在によって本としての厚みを左右均一となり、店頭に積んで置いても安定した状態を保つことができる。
【符号の説明】
【００３４】
１  シート
２  表示窓
３  透明スリット
４  不透明部
５  フィルム
６  分割絵
７  絵シート
８  シート
９  操作部
１０  本発明による動画シート
１１  基板
１１ａ  固定表示面
１２  表示文字
１３  表紙
１４  裏表紙
１５  背表紙
１６  窓孔
１７  切起し爪
【図１】
2010228340.tif 000003
【図２】
2010228340.tif 000004
【図３】
2010228340.tif 000005
【図４】
2010228340.tif 000006
【図５】
2010228340.tif 000007
【図６】
2010228340.tif 000008
【図７】
2010228340.tif 000009
【図８】
2010228340.tif 000010
【図９】
2010228340.tif 000011
【図１０】
2010228340.tif 000012